(57)【特許請求の範囲】
【請求項１】
シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、
前記凹部をフェースバック方向に延出するよう形成した、ことを特徴とするゴルフクラブ。
【請求項２】
シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、
前記凹部をトウ−ヒール方向に延出するよう形成した、ことを特徴とするゴルフクラブ。
【請求項３】
シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、
前記凹部をフェース方向及びトウ方向に延出するよう略扇形状に形成した、ことを特徴とするゴルフクラブ。
【請求項４】
シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、
前記凹部をフェース方向，トウ方向及びヒール方向に延出するよう略半円形状に形成した、ことを特徴とするゴルフクラブ。
【発明の詳細な説明】
【０００１】
【発明の属する技術分野】
本発明は、ゴルフクラブに関する。
【０００２】
【従来の技術】
従来、アイアンタイプ、ウッドタイプのゴルフクラブは、シャフトの先端にヘッドを接着によって取り付けた構成となっている。この場合、シャフトとヘッドとの結合は、ヘッド本体のクラウン部から突出するネック部においても接着がなされている。
【０００３】
【発明が解決しようとする課題】
ところで、ゴルフクラブを実際にスイングして打球する際、シャフトには、しなりが生じる。現在、シャフトは、主にスチール製、合成樹脂を強化繊維で補強したＦＲＰ製のものがあり、ゴルフクラブの要求特性等に応じて望ましいしなりが選られるように、その材料、あるいは樹脂含浸量等に関して、様々な構成が実施されている。そして、上記したようなシャフトのしなりは、シャフト全長に亘って充分に活用できることが望ましい。すなわち、シャフト先端側のヘッド取り付け領域を長くすると、そのシャフトが有するしなりを充分に活用することができない。
【０００４】
従来、一般的に実施されているゴルフクラブは、上記したように、シャフト外周面がヘッドの外殻から突出するネック部分においても接着なされているため、シャフトが有する本来のしなりの特性を充分に活用していない。
【０００５】
この発明は、従来のゴルフクラブのヘッドの取り付け構造では、シャフトが有する本来のしなりの特性を充分に活用していない点に注目してなされたものであり、シャフトのしなりの特性を充分に活用することができ、しかもゴルフクラブの要求特性に応じて、方向性をもってしならせることが可能である、ゴルフクラブを提供することを目的とする。
【０００６】
【課題を解決するための手段】
上記課題を解決するために、本発明のゴルフクラブは、シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、前記凹部をフェースバック方向に延出するよう形成した、ことを特徴とする。
上記課題を解決するために、本発明のゴルフクラブはまた、シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、前記凹部をトウ−ヒール方向に延出するよう形成した、ことを特徴とする。
上記課題を解決するために、本発明のゴルフクラブはまた、シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、前記凹部をフェース方向及びトウ方向に延出するよう略扇形状に形成した、ことを特徴とする。
上記課題を解決するために、本発明のゴルフクラブはまた、シャフト先端にヘッドを固定したゴルフクラブにおいて、前記ヘッドのクラウン部にシャフトの先端部が挿入される凹部が形成されているとともに前記凹部の下方でヘッド内に接着穴が形成されており、挿入された前記シャフトの前記先端部の外周面は前記凹部の領域で未接着となり前記接着穴に接着され、前記凹部をフェース方向，トウ方向及びヒール方向に延出するよう略半円形状に形成した、ことを特徴とする。
【０００７】
上記したように、ヘッドのクラウン部に、シャフトと未接着となる凹部を形成することにより、シャフトの略全長に亘るしなりの活用が図れる。
【０００８】
【発明の実施の形態】
以下、本発明の実施の形態について、添付図面を参照して具体的に説明する。図１および図２は、本発明の第１の実施の形態を示す図である。この実施の形態では、中空状のウッドタイプのゴルフクラブに本発明を適用した例が示されている。ヘッド１を形成する外殻には、そのクラウン部１ａに、シャフト５が挿入される凹部１０が形成されている。この凹部１０は、挿入されるシャフト５と未接着となる領域であり、シャフト５は、その凹部１０より下方に形成され、シャフトの径と略同一の径を有する接着穴１２に接着される。したがって、シャフト５は、図２（ａ）に示すように、凹部１０の領域で接着がなされないため、その部分でしなることが可能となる。
【０００９】
更に、シャフト５は、その先端部の凹部１０内の未接着領域の曲げ剛性が、ＥＩ＜５．０×１０６  ｋｇｆ・ｍｍ２  であり、より好ましくは、ＥＩ＜３．５×１０６  ｋｇｆ・ｍｍ２  とする。上記の曲げ剛性の領域は、接着穴１２への接着領域から基端側５０ｍｍ以内の範囲に設けると良い。また、シャフト５が凹部１０内でしなると、ヘッド１が上下方向に返り易く打点がフェースの上下方向にばらつきやすくなるため、ヘッド１の重心回りの上下方向の慣性モーメントをウッドで１６００ｇ・ｃｍ２  以上にして、インパクト時のヘッド１のぶれを防止すると良い。
【００１０】
接着穴１２の長さについては、ゴルフクラブの種類、材料、ヘッド重量、使用する接着剤等にもよるが、通常、１５〜４０ｍｍ程度とることで、充分な接着強度を得ることができる。このため、ヘッドの外殻に形成される凹部１０の深さについては、５〜２５ｍｍの範囲、好ましくは１０〜２５ｍｍの範囲で形成することが可能である。また、凹部１０の形状を図に示すように、一定の割合で下方に向けて縮径し直線状の傾斜面を有するすり鉢形状とすることにより、シャフト５は、この凹部１０の領域で、すべての方向にしなることが可能となる。更に、スイング時にシャフト５がしなっても凹部１０に接触しない形状とし、シャフト５は、接着穴１２より基端側で何等の干渉を受けないようにすると良い。
【００１１】
なお、このように、ヘッド１のクラウン部１ａに凹部１０を形成すると、それが外部から目視できるため、見栄えを向上するために、図２（ｂ）に示すように、充填材１５を充填しておくことが好ましい。この場合、充填材１５としては、シャフト５が凹部１０の領域でしなることができるように、弾性率が１〜１００ｋｇｆ／ｍｍ２  程度のゴムや合成樹脂又は発泡材を用いることが好ましい。
【００１２】
本発明のゴルフクラブによると、ヘッド１の凹部１０内において、シャフト５をしならせることができるため、インパクト時のロフトやライ角をコントロールして打球することが可能となる。例えばヘッド１の上下方向の返りを遅らせて低い弾道としたり、これを早めて高い弾道とすることができる。したがって、フェースの上下幅を４５ｍｍ以上にすることで確実に打球し易くなり、また、スイング時のトウダウンを見込んでライ角をウッドで５８°〜６０°とするのが良い。更に、スイートスポットについては、フェースの中心で打球するとして、ヘッド１の上下方向の回転による遠心力を考慮して、フェースの上下幅の中央より０．５〜８ｍｍ上方に設けると、飛距離を延ばすことができる。
【００１３】
上記した実施の形態において、ヘッドおよびシャフトの構成材料については限定されることはなく種々のものが用いられる。また、中実状のウッドはもちろん、通常のアイアンや、中空状のアイアンにも適用することが可能である。また、接着穴１２は、ヘッドのソール部１ｂまで延出しているが、ヘッド内の中間部で終端した構成であっても良い。
【００１４】
また、上記した実施の形態では、凹部１０の形状は、円形で一定の割合で下方に向けて縮径し直線状の傾斜面を有する、いわゆるすり鉢状としてあるが、シャフト５に対して凹状に形成した傾斜面を有するすり鉢状としても良いし、また、傾斜面を形成せずに、シャフト５に沿って０．３ｍｍ以上離間する周面を形成した円筒状にしても良い。この凹部１０の形状については、ゴルフクラブの要求特性に応じて、方向性をもってしならせるように構成することが可能である。例えば、図３（ａ）乃至（ｆ）の符号１０ａ〜１０ｆに示すように、しなりやすい方向は、種々変形することが可能である。
【００１５】
図３（ａ）に示す構成例は、凹部１０ａを、フェース−バック方向に延出するように形成した構成例を示す。この構成によれば、シャフトはフェース−バック方向でしなりやすくなり、トウダウンを抑えた、球の上がり易い（インパクトロフトが増加しやすい）ゴルフクラブが得られる。
【００１６】
図３（ｂ）に示す構成例は、凹部１０ｂを、トウ−ヒール方向に延出するように形成した構成例を示す。この構成によれば、シャフトはトウ−ヒール方向でしなりやすくなり、球の上がり易さを抑えた、トップでの切り返しが容易な（切り返し時に負荷が小さな）ゴルフクラブが得られる。
【００１７】
図３（ｃ）に示す構成例は、凹部１０ｃを、フェース方向に延出させると共に、シャフトのバック側のしなりを規制するように形成した構成例を示す。この構成によれば、シャフトはフェース方向にしなりやすくなり、球の上がり易い（インパクトロフトが増加し易い）トウダウンを抑えたゴルフクラブが得られる。
【００１８】
図３（ｄ）に示す構成例は、凹部１０ｄを、トウ方向に延出させると共に、シャフトのヒール側のしなりを規制するように形成した構成例を示す。この構成によれば、シャフトはトウ方向でしなりやすくなり、トップでの切り返しが容易な（切り返し時に負荷が小さな）トウダウンを抑えたゴルフクラブが得られる。
【００１９】
図３（ｅ）に示す構成例は、凹部１０ｅを、略扇形状にして、シャフトのヒール側およびバック側のしなりを規制するように形成した構成例を示す。この構成によれば、シャフトはフェース方向およびトウ方向に亘ってしなりやすくなり、トップでの切り返しが容易な、球の上がり易い、トウダウンを抑えたゴルフクラブが得られる。
【００２０】
図３（ｆ）に示す構成例は、凹部１０ｆを、略半円形状にして、シャフトのバック側のしなりを規制するように形成した構成例を示す。この構成によれば、シャフトはフェース方向、トウ方向およびヒール方向に亘ってしなりやすくなり、トップでの切り返しの楽な、球の上がり易いトウダウンの大きなゴルフクラブが得られる。
【００２１】
図５は、本発明の別の実施の形態を示す図である。
【００２２】
上記実施の形態では、ヘッドのクラウン部に、シャフトと未接着となる凹部を形成したが、図５に示すように、ヘッド１に、シャフト５が挿入固定されるネック部２０を一体的に形成したゴルフクラブの場合、以下のように構成することが可能である。
【００２３】
シャフト５の先端側Ｌ（１５〜４０ｍｍ）の部分をネック部２０が形成されているヘッド１に接着固定する。この場合、接着がなされる部分Ｌは、図５（ａ）に示すように、ネック部２０およびヘッド１の内部の取付穴（図示せず）、もしくは図５（ｂ）に示すように、ネック部２０である。そして、領域Ｌより上側に、シャフト５をしならせたい方向に弾性変形が可能なソケット２５を設ける。図５（ａ）および（ｂ）に示す構成は、いずれも、シャフト５をトウ側にしなりやすいように構成したものであり、領域Ｌより上側のネック部２０に、トウ側を半円状に切欠いた切欠部２０ａを形成している。すなわち、シャフト５は、領域Ｌより上側で半円状に延出するネック部２０によって、ヒール側のしなりが規制された状態となっている。このようにシャフトがしなりやすい方向については、切欠部を形成する位置によって種々変形することが可能であり、領域Ｌより上側すべてをソケット２５で覆うように構成すれば、図１に示したように、すべての方向にしなりやすい構成とすることが可能である。なお、ソケット２５については、図に示すように設けても良いし、設けなくても良い。このようにヘッド１のネック部２０の一部をシャフト５に未接着とすることにより、シャフト５の略全長に亘るしなりの活用が図れる。
【００２４】
また、上述した本発明のヘッドは、先端部の剛性が高くないシャフトに組み合わせることが好ましい。具体的には、シャフト先端部での曲げ剛性が、ＥＩ＜５．０×１０６  ｋｇｆ・ｍｍ２  、より好ましくは、ＥＩ＜３．５×１０６  ｋｇｆ・ｍｍ２  であるが、更に、２．０×１０６  ｋｇｆ・ｍｍ２  のシャフトに対して取り付けることが好ましい。
【００２５】
【発明の効果】
本発明によれば、シャフト先端部でのヘッドの接着領域が少なくなって、シャフトのしなる領域が拡大するため、そのシャフトが有する本来のしなりの特性を充分に発揮することができるとともに、しかもゴルフクラブの要求特性に応じて、方向性をもってしならせることが可能である、ゴルフクラブが得られる。
【図面の簡単な説明】
【図１】本発明の第１の実施の形態を示す図であり、（ａ）は、ヘッド部分の平面図、（ｂ）は、ヘッド部分の正面図。
【図２】（ａ）は、図１に示した構成において、シャフトを取り付けた状態を示す図、（ｂ）は、変形例を示す図。
【図３】（ａ）乃至（ｆ）を含み、それぞれヘッドのクラウン部に形成される凹部の変形例を示す図。
【図４】図３（ｄ）の構成を示す図。
【図５】本発明の第２の実施の形態を示す図であり、（ａ）は、ウッドタイプのゴルフクラブを示す図、（ｂ）は、アイアンタイプのゴルフクラブを示す図。
【符号の説明】
１  ヘッド
１ａ  クラウン部
５  シャフト
１０，１０ａ〜１０ｆ  凹部
２０  ネック部
【図１】
0003550309.tif 000002
【図２】
0003550309.tif 000003
【図３】
0003550309.tif 000004
【図４】
0003550309.tif 000005
【図５】
0003550309.tif 000006